(57)【要約】      （修正有）【課題】軽量で変形しにくく、各種現場に設置可能で取り扱いが容易なコンクリート打継用スペーサーを提供する。【解決手段】コンクリート打継用スペーサー１は、中芯１１が埋設された四角柱状の芯材１０を、合成樹脂製の袋体２０の内部に収納したものである。芯材１０は、四角柱を半割にした多孔質弾性体１２，１３の間に中芯を挟み込んだ状態で接着して作成され、袋体の開口から挿入して収納される。中芯１１は、幅が多孔質弾性体の幅よりも小さく、高さが多孔質弾性体の高さよりも大きく、厚さ方向に扁平な矩形状の枠体によって構成され、上端部を露出させる様に多孔質弾性体に埋設されている。袋体２０は、多孔質弾性体の側面を覆うことができる高さを有し、収納状態において多孔質弾性体の側面は露出しない。【選択図】図１
0003212109.tif 000002
【実用新案登録請求の範囲】
【請求項１】
合成樹脂製の袋体の内部に多孔質弾性体に中芯を埋設して四角柱状とした芯材を収納してなり、さらに、以下の構成をも備えていることを特徴とするコンクリート打継用スペーサー。
（１Ａ）前記中芯は、幅が前記多孔質弾性体の幅よりも小さく、高さが前記多孔質弾性体の高さよりも大きく、厚さ方向に扁平な矩形状の枠体によって構成され、上端部を露出させて持ち手とする様に前記多孔質弾性体に埋設されていること。
（１Ｂ）前記袋体は、前記多孔質弾性体の側面を覆うことができる高さを有していること。
【請求項２】
さらに、以下の構成をも備えていることを特徴とする請求項１に記載のコンクリート打継用スペーサー。
（２）前記矩形状の枠体は、上端部が湾曲した矩形状に屈曲された鉄線の端部同士を上部又は下部の辺で突き合わせる様に接合して構成されていること。
【請求項３】
さらに、以下の構成をも備えていることを特徴とする請求項１又は２に記載のコンクリート打継用スペーサー。
（３）前記芯材は、間に前記中芯を挟み込んだ状態で接着し合った半割の多孔質弾性体によって構成されていること。
【考案の詳細な説明】
【技術分野】
【０００１】
本考案は、コンクリートの打継ぎに用いるスペーサーに関する。
【背景技術】
【０００２】
従来、図４に示す様に、鉄筋支持材を井桁状に組んだ打継部の底部型枠の上面に、打継用スペーサーを並べる様に設置してコンクリートの打ち継ぎを行っている。この打継用スペーサーとして、コンクリートに対して易剥離性を有する袋体の中に直方体状の多孔質弾性体を収容したものが提案されている（特許文献１〜３）。
【０００３】
特許文献１は袋体の上部を閉塞する閉塞部材に指を係止可能な持手部が設けられた打継用スペーサーを、特許文献２は袋体を内側ポリ袋と外側ポリ袋の二重構造とし、補強用鉄筋で補強した角柱状スポンジを収容した打継用スペーサーを、特許文献３は柱状部分の上端に横棒部分を備えたＴ字状の芯材を埋設した多孔質弾性体をジッパーで開閉可能とした袋体に収納した打継用スペーサーを提案している。
【先行技術文献】
【特許文献】
【０００４】
【特許文献１】特許第５３１４３３４号公報（図１，２）
【特許文献２】特許第４９５８０８１号公報（図２）
【特許文献３】特許第５０７３７８９号公報（図２）
【考案の概要】
【考案が解決しようとする課題】
【０００５】
特許文献１のものは、軽量で取り扱い易い反面、変形し易いという問題があり、特許文献２，３のものは、鉄筋等によって変形し難い反面、重くなってしまうという問題がある。
【０００６】
また、コンクリートの打ち継ぎ現場は、必ずしも図３（Ａ）に示した様に打継用スペーサーを整然と並べることができないこともある。
【０００７】
そこで、本考案は、各種現場に設置可能で取り扱いの容易なコンクリート打継用スペーサーを提供することを目的とする。
【課題を解決するための手段】
【０００８】
上記目的を達成するためになされた本考案のコンクリート打継用スペーサーは、合成樹脂製の袋体の内部に多孔質弾性体に中芯を埋設して四角柱状とした芯材を収納してなり、さらに、以下の構成をも備えていることを特徴とする。
（１Ａ）前記中芯は、幅が前記多孔質弾性体の幅よりも小さく、高さが前記多孔質弾性体の高さよりも大きく、厚さ方向に扁平な矩形状の枠体によって構成され、上端部を露出させて持ち手とする様に前記多孔質弾性体に埋設されていること。
（１Ｂ）前記袋体は、前記多孔質弾性体の側面を覆うことができる高さを有していること。
【０００９】
本考案のコンクリート打継用スペーサーによれば、多孔質弾性体に中芯が埋設されて芯材の補強がなされると共に、中芯は扁平な矩形状の枠体によって構成されているから、矩形の長辺側を芯材の厚さ方向に湾曲又は屈曲させることができる。こうしてスペーサー自体を湾曲させたり屈曲させたりすることができる結果、直立状態で整然と設置することができない様な現場や、井桁状に組んだ鉄筋が高さ方向においてずれているような現場においても、打継用スペーサーによる正しい打継面をしっかりと形成することができる。このとき、袋体が多孔質弾性体の側面を覆うことができる高さを有しているから、打継面は袋体の外面で形成され、多孔質弾性体はコンクリートに直接接触しない。そして、中芯は高さが多孔質弾性体よりも高さよりも大きく、上端部を露出させて持ち手とする様に多孔質弾性体に埋設されているから、持ち運びや鉄筋間への抜き差しに当たっては、多孔質弾性体から露出した上端部を手で持つことができ、取り扱いが容易である。
【００１０】
本考案のコンクリート打継用スペーサーは、さらに、以下の構成をも備えるとよい。
（２）前記矩形状の枠体は、上端部が湾曲した矩形状に屈曲された鉄線の端部同士を上部又は下部の辺で突き合わせる様に接合して構成されていること。
【００１１】
このコンクリート打継用スペーサーによれば、矩形状の枠体は、鉄線で製造されているからプレス抜き型などを用いることなく閉じた矩形形状に製造することができる。また、矩形状の枠体は上部又は下部の辺で突き合わせる様に端部を接合された鉄線で製造されているから、鉄線の接合部分に大きな負荷を加えることなく長辺側を厚さ方向に湾曲又は屈曲させることができる。ここで、鉄線の端部の接合はスポット溶接により実施するとよい。また、スペーサーの高さ＝３００ｍｍ〜９００ｍｍに応じて、直径３．５ｍｍ〜８ｍｍの鉄線を用いるとよい。
【００１２】
本考案のコンクリート打継用スペーサーは、さらに、以下の構成をも備えるとよい。
（３）前記芯材は、間に前記中芯を挟み込んだ状態で接着し合った半割の多孔質弾性体によって構成されていること。
【００１３】
かかる構成をも備えたコンクリート打継用スペーサーによれば、矩形状の枠体からなる中芯を多孔質弾性体の中心部に容易に埋設することができる。このとき、中芯は、厚さ方向に扁平であるから、半割の多孔質弾性体同士の合わせ面に収納用空間を形成しなくてもよく、中芯を挟み付けた多孔質弾性体同士の変形量も少ないから、中芯の影響で外面形状に大きな膨らみを生じさせたりせず、多孔質弾性体同士の接着状態を阻害したりすることもない。この結果、係る構成を備えるコンクリート打継用スペーサーは、製造が容易になる。
【考案の効果】
【００１４】
本考案によれば、各種現場に設置可能で取り扱いの容易なコンクリート打継用スペーサーを提供することができる。
【図面の簡単な説明】
【００１５】
【図１】実施例１のコンクリート打継用スペーサーを示し、（Ａ）は芯材を組み立てる様子の分解斜視図、（Ｂ）は芯材を袋材に収納する様子の分解斜視図である。
【図２】実施例１のコンクリート打継用スペーサーの部品を示し、（Ａ）は中芯の、（Ｂ）は多孔質弾性体の、（Ｃ）は袋体の六面図である。
【図３】実施例１のコンクリート打継用スペーサーによるコンクリート打継部への設置例を示す説明図である。
【図４】従来技術の説明図である。
【考案を実施するための形態】
【００１６】
以下に、本考案を実施するための形態を実施例に基づいて説明する。
【実施例１】
【００１７】
実施例１のコンクリート打継用スペーサー１は、図１に示す様に、中芯１１を埋設された四角柱状の芯材１０を、合成樹脂製の袋体２０の内部に収納したものである。
【００１８】
芯材１０は、図１（Ａ）に示す様に、四角柱を半割にした多孔質弾性体１２，１２の間に中芯１１を挟み込んだ状態で接着し合うことによって作成され、図１（Ｂ）に示す様に、袋体２０の開口から挿入する様にして収納される。
【００１９】
中芯１１は、図１（Ａ）に示す様に、幅が多孔質弾性体１２の幅よりも小さく、高さが多孔質弾性体１２の高さよりも大きく、厚さ方向に扁平な矩形状の枠体によって構成され、上端部を露出させて持ち手とする様に多孔質弾性体１２に埋設されている。袋体２０は、図１（Ｂ）に示す様に、多孔質弾性体１２の側面を覆うことができる高さを有し、収納状態においては多孔質弾性体１２の側面は露出しない。また、袋体２０の上端は開口したままとする。なお、上端を内側へ折ってガムテープなどで多孔質弾性体１２，１２の上面に貼り付ける様にしてもよい。
【００２０】
図２（Ａ）に示す様に、中芯１０１としては、直径３．５ｍｍの鉄線（日鉄住金鋼線株式会社製のＪＩＳ  Ｇ  ３５３２規格相当品）を、多孔質弾性体１０２に対して１／３〜１／２程度の幅で１．２培程度の高さを有し、上辺を円弧状とし、下辺を直線状として角Ｒを備える矩形状に屈曲させたものを用いる。中芯１０１は、図２（Ａ）の拡大底面図に示す様に、下辺の直線部分の中央で突き合わせた状態でスポット溶接によって接合されている。
【００２１】
多孔質弾性体１０２としては、一方の面（図２（Ｂ）における背面図側）に接着剤層を備え剥離紙で覆った奥行き寸法を半分とした低発泡率の高密度発泡ポリウレタン製のものを２つ用いる。中芯１０１は、剥離紙を剥がした接着剤層同士の間に挟み付ける様に埋設する。
【００２２】
袋体１０３としては、図２（Ｃ）に示す様に、白色ビニールシート製のものを用いる。袋状にしたときの高さが、多孔質弾性体１０２の高さよりも若干高くなる寸法のものを用いる。
【００２３】
図３（Ａ）〜（Ｃ）に実施例のコンクリート打継用スペーサー１によるコンクリート打継部への設置例を示す。鉄筋支持材を井桁状に組んだ打継部の所定の位置に、打継用スペーサー１を並べる様に設置する。図３（Ａ）に示す様に、袋体２０が装着された状態で設置し、図３（Ｃ）に示す様に、袋体２０を残して芯材１０だけを抜き取る様にして解体することができる。残った袋体２０は、その後、打継面から剥がす様にして抜き取る。
【００２４】
以上説明した様に、実施例によれば、各種の現場に設置可能で取り扱いの容易なコンクリート打継用スペーサーを提供することができる。
【００２５】
以上、本考案の実施例を説明したが、本考案はこれに限定されるものではなく、その要旨を逸脱しない範囲内で種々に実施することができる。
【００２６】
例えば、芯材を、一面に形成された切り込み溝に中芯が埋設された多孔質弾性体によって構成することもできる。また、袋体を、内側が平滑で外側にエンボス加工が施された合成樹脂シートで構成することもできる。
【産業上の利用可能性】
【００２７】
本考案は、コンクリート打ち継ぎの際のコンクリート止めに用いることができる。
【符号の説明】
【００２８】
１・・・コンクリート打継用スペーサー、１０・・・芯材、１１，１０１・・・中芯、１２，１０２・・・多孔質弾性体、１３，１０３・・・袋体。
【図１】
0003212109.tif 000003
【図２】
0003212109.tif 000004
【図３】
0003212109.tif 000005
【図４】
0003212109.tif 000006